(57)【要約】【課題】本発明は浴室カウンターとその製造法に関するもので、軟質で安全であり、さらには汚れがつきにくく、細菌やカビの増殖を抑制する清潔な浴室カウンターを提供することを課題とする。【解決手段】樹脂材料からなるバックアップ基材４に対して、表面自由エネルギーが熱可塑性エラストマーより小さい物質を含む前記熱可塑性エラストマー層６からなる軟質材を表面層として積層し一体化することにより、浴室カウンターの表面が軟質で、防汚性が良好で清潔な浴室カウンターの提供が可能となる。【選択図】　図１
2004135751.tif 000002
【特許請求の範囲】
【請求項１】
樹脂材料からなるバックアップ基材に対して、表面自由エネルギーが熱可塑性エラストマーより小さい物質を含む前記熱可塑性エラストマー層からなる軟質材を表面層として積層し一体化した浴室カウンター。
【請求項２】
樹脂材料からなるバックアップ基材と表面自由エネルギーが熱可塑性エラストマーより小さい物質を含む前記熱可塑性エラストマー層との間に第二の弾性層を有する軟質材を表面層として積層し一体化した浴室カウンター。
【請求項３】
樹脂材料がＦＲＰであるバックアップ基材からなる請求項１または２記載の浴室カウンター。
【請求項４】
熱可塑性エラストマー層が塩素元素を含まない化学構造を有する請求項１ないし３のいずれか１項記載の浴室カウンター。
【請求項５】
弾性層が発泡層である請求項２記載の浴室カウンター。
【請求項６】
前記表面自由エネルギーが熱可塑性エラストマーより小さい物質は有機珪素化合物からなる請求項１または２記載の浴室カウンター。
【請求項７】
樹脂材料からなるバックアップ基材に対して、有機珪素化合物と抗菌剤とを含む熱可塑性エラストマー層からなる軟質材を表面層として積層し一体化した浴室カウンター。
【請求項８】
樹脂材料からなるバックアップ基材と、有機珪素化合物と抗菌剤とを含む熱可塑性エラストマー層との間に第二の弾性層を有する軟質材を表面層として積層し一体化した浴室カウンター。
【請求項９】
抗菌剤が無機系抗菌剤の少なくとも一種、および有機系抗菌剤の少なくとも一種からなる請求項７または８記載の浴室カウンター。
【請求項１０】
樹脂材料からなるバックアップ基材に対して、表面自由エネルギーが熱可塑性エラストマーより小さい物質を含む前記熱可塑性エラストマー層からなる軟質材を表面層として積層し一体化した浴室カウンターにおいて、軟質材からなる表面層は真空成形によりバックアップ基材と積層し一体化されてなる浴室カウンターの製造法。
【発明の詳細な説明】
【０００１】
【発明の属する技術分野】
本発明は浴室カウンターとその製造法に関するものである。
【０００２】
【従来の技術】
従来、浴室内に設置される浴室カウンターは、ポリプロピレンなどの熱可塑性樹脂や、不飽和ポリエステル樹脂とガラス繊維を用いた繊維強化プラスチック（以下ＦＲＰという）であったり硬質磁性タイルであった。これらのカウンターは高耐久性、高級感、重厚感あるものとするために表面をできるだけ硬く、また高剛性化する傾向にあった（例えば、特許文献１参照）。
【０００３】
【特許文献１】
特開平８−３１７８７３号公報
【０００４】
【発明が解決しようとする課題】
しかしながら幼児や足腰の弱った高齢者などの場合には、不安定であり浴室カウンターに座って身体を洗ったりすることがある。このような場合に、カウンターが硬くかつ剛性の大きなものであると、接触したからだ部位に痛みを感じたり、不快であったりする。そこで、安全性の確保も含めて、カウンター全体を軟質材で形成すると、カウンター自身が形状保持できなくなってしまう。
【０００５】
また、浴室内には人体からの垢、石鹸かすなどの汚れ成分が充満しており、日常のカウンターの手入れが大変である。さらに、浴室内は高湿度であり、細菌やカビの増殖には最適な環境である。手入れを少しでも怠ると、特にカウンターの周辺部などは細菌やカビが増殖しやすく不潔になりやすい。
また、軟質のカウンターを製造し提供するに際して、これを量産性のよいものとし、安価に提供できるようにすることが求められる。
【０００６】
【課題を解決するための手段】
本発明は上記課題を解決するために、樹脂材料からなるバックアップ基材に対して、表面自由エネルギーが熱可塑性エラストマーより小さい物質を含む前記熱可塑性エラストマー層からなる軟質材を表面層として積層し一体化した浴室カウンターとしてある。
【０００７】
上記発明によれば、樹脂材料からなるバックアップ基材によって浴室カウンター自体の形状が保持されるとともに、表面層が熱可塑性エラストマー層の軟質材料により形成されているため、たとえば幼児や高齢者などがカウンターに座って身体を洗ったりしてもソフトタッチで快適である。また、浴室内での転倒によりカウンターに身体ををぶつけたとしても、カウンター表面の軟質材が衝撃を吸収してくれるので安全性が確保される。さらに、表面自由エネルギーが小さい物質を熱可塑性エラストマー層が含んでいるため表面層の撥水性が向上し、汚れ成分に対し低活性となり防汚性が向上する。また、それらの汚れ成分を餌とする細菌やカビの増殖も抑制される。
【０００８】
【発明の実施の形態】
本発明の請求項１に記載の発明は、樹脂材料からなるバックアップ基材に対して、表面自由エネルギーが熱可塑性エラストマーより小さい物質を含む前記熱可塑性エラストマー層からなる軟質材を表面層として積層し一体化した浴室カウンターとしたものである。樹脂材料からなるバックアップ基材によって浴室カウンター自体の形状が保持されるとともに、表面層が熱可塑性エラストマー層の軟質材料により形成されているため、たとえば幼児や高齢者などが浴室内での転倒によりカウンターに身体をぶつけたとしても、その衝撃を軟質材料により良好に吸収でき、安全性を向上させることができる。さらに、表面自由エネルギーが小さい物質を熱可塑性エラストマー層が含んでいるため表面層の撥水性が向上し、汚れ成分に対し低活性となり防汚性が向上する。また、それらの汚れ成分を餌とする細菌やカビの増殖も抑制される。
【０００９】
請求項２記載の発明は、樹脂材料からなるバックアップ基材と表面自由エネルギーが熱可塑性エラストマーより小さい物質を含む前記熱可塑性エラストマー層との間に第二の弾性層を有する軟質材を表面層として積層し一体化した浴室カウンターとしたものである。樹脂材料からなるバックアップ基材と表面層である熱可塑性エラストマー層との間に第二の弾性層を有する軟質材を積層し一体化することにより、浴室カウンター表面をよりいっそう軟らかく、安全にすることができる。
【００１０】
請求項３記載の発明は、バックアップ基材の樹脂材料がＦＲＰからなる浴室カウンターとしたものである。ＦＲＰは不飽和ポリエステル樹脂などの熱硬化性樹脂とガラス繊維を混合して硬化させたものであり、軽くて高剛性のため、強度の大きい浴室カウンターが可能となる。
【００１１】
請求項４記載の発明は、塩素元素を含まない化学構造を有する表面自由エネルギーが熱可塑性エラストマーより小さい物質を含む該熱可塑性エラストマー層からなる軟質材を表面層として積層し一体化した浴室カウンターとしたものである。熱可塑性エラストマー層が塩素元素を含まないため、サーマルリサイクル時に塩化水素ガスやダイオキシンといった人体に悪影響を及ぼす排ガスが生成しない。このため、環境に優しいクリーンな浴室カウンターが可能となる。
【００１２】
請求項５記載の発明は、弾性層が発泡層である浴室カウンターとしたものである。このようにすれば軟質材層をよりいっそう軟らかくすることができ、安全性や快適性がさらに向上する。
【００１３】
請求項６記載の発明は、前記表面自由エネルギーが熱可塑性エラストマーより小さい物質が有機珪素化合物からなる請求項１または２記載の浴室カウンターとしたものである。有機珪素化合物を熱可塑性エラストマー層に添加することにより熱可塑性エラストマー層の表面は撥水性が大幅に向上し、汚れ成分に対し低活性となるため防汚性が向上する。さらに、汚れ成分の浴室カウンター表面への汚れの付着が少なくなるため、それらを餌とする細菌やカビの増殖も抑制される。
【００１４】
請求項７記載の発明は、樹脂材料からなるバックアップ基材に対して、有機珪素化合物と抗菌剤とを含む熱可塑性エラストマー層からなる軟質材を表面層として積層し一体化した浴室カウンターとしたものである。
【００１５】
請求項８記載の発明は、樹脂材料からなるバックアップ基材と有機珪素化合物と抗菌剤とを含む熱可塑性エラストマー層との間に第二の弾性層を有する軟質材を表面層として積層し一体化した浴室カウンターとしたものである。熱可塑性エラストマー層からなる浴室カウンターの表面層は有機珪素化合物を含むことにより、防汚性が向上し汚れ成分が付着しにくくなる。さらに、抗菌剤を含有することにより、浴室カウンター表面での細菌、ぬめり、カビなどの増殖が抑制される。さらに、樹脂材料からなるバックアップ基材と表面層である熱可塑性エラストマー層との間に第二の弾性層を有する軟質材を積層し一体化することにより、浴室カウンター表面をよりいっそう軟らかく、安全にすることができる。
【００１６】
請求項９記載の発明は、抗菌剤として無機系抗菌剤の少なくとも一種、および有機系抗菌剤の少なくとも一種からなる請求項７または８記載の浴室カウンターとしたものである。無機系抗菌剤の作用により主として細菌の増殖を抑制し、さらには細菌の増殖に起因する悪臭の発生、酵母の増殖に起因するぬめりの発生も抑制する。また、有機系抗菌剤の作用により主としてカビの増殖を抑制する。このように、カビ、細菌などの増殖を抑制し、健康的で清潔な浴室カウンターが可能となる。
【００１７】
請求項１０記載の発明は、樹脂材料からなるバックアップ基材に対して、表面自由エネルギーが熱可塑性エラストマーより小さい物質を含む前記熱可塑性エラストマー層からなる軟質材を表面層として積層し一体化した浴室カウンターにおいて、軟質材からなる表面層は真空成形によりバックアップ基材と積層し一体化する浴室カウンターの製造法である。軟質材からなる表面層を真空成形によりバックアップ基材と積層一体化することにより浴室カウンターを簡単に安価に製造することができる。
【００１８】
【実施例】
以下本発明の具体的な一実施例について説明する。
【００１９】
本発明におけるバックアップ基体の樹脂材料としては、熱可塑性樹脂としてポリエチレン、ポリプロピレン、アクリロニトリル・ブタジエン・スチレン共重合物などが挙げられるが、これに限定するものではない。また、熱硬化性樹脂としてフェノール樹脂、尿素樹脂、メラミン樹脂、ウレタン樹脂、不飽和ポリエステル樹脂、エポキシ樹脂、熱硬化性アクリル樹脂などが挙げられるが、これに限定するものではない。また、ＦＲＰ用樹脂としては上記熱硬化性樹脂が使用可能であり、成形法としてはハンドレイアップ成形法、ホットプレス成形法、注型法、レジントランスファーモールデイング法などを用いることが可能である。
【００２０】
熱可塑性エラストマーとしては、スチレン系、オレフィン系、ウレタン系、エステル系、アミド系、塩化ビニル系などが挙げられるが、これに限定するものではない。
【００２１】
発泡層としては、ポリエチレン、ポリプロピレン、ポリスチレン、ポリウレタンなどが挙げられるが、これに限定するものではない。
【００２２】
本発明の有機珪素化合物としては、ジメチルポリシロキサン、メチルフェニルポリシロキサン、ジフェニルポリシロキサンなどのシリコーン化合物。それらのシリコーン化合物をアルキッド変性、ポリエステル変性、アクリル変性、エポキシ変性した変性シリコーン化合物などが挙げられるが、これに限定するものではない。
【００２３】
本発明における抗菌剤としては、無機系抗菌剤として、硝酸銀、硫酸銀、塩化銀など。銀、銅、亜鉛あるいは錫を担持したゼオライト。および銀、銅、亜鉛あるいは錫を担持したシリカゲルなどが挙げられるが、これに限定するものではない。
【００２４】
有機系抗菌剤としては、１０，１０’−オキシビスフェノキサアルシンなどフェニルエーテル誘導体、シクロフルアニドなどＮ−ハロアルキルチオ系化合物、２−（４−チアゾリル）ベンズイミダゾール（以下ＴＢＺと略称する）等イミダゾール誘導体、２，３，５，６テトラクロル−４−（メチルスルホリル）ピリジンなど第４級アンモニウム塩などが挙げられるが、これに限定するものではない。
【００２５】
（実施例１）
ハンドレイアップ成形法により、不飽和ポリエステル樹脂を用いたＦＲＰによりバックアップ基材を作成した。表層として１．５ｍｍ厚のポリオレフィン系熱可塑性エラストマーと１０ｍｍ厚のポリウレタン発泡層とを用い、真空成形によりバックアップ基材と積層一体化し目的とする浴室カウンターを得た。
【００２６】
（実施例２）
ハンドレイアップ成形法により、不飽和ポリエステル樹脂を用いたＦＲＰによりバックアップ基材を作成した。表層として１．５ｍｍ厚のポリオレフィン系熱可塑性エラストマーを用い、真空成形によりバックアップ基材と積層一体化し目的とする浴室カウンターを得た。
【００２７】
（実施例３）
ハンドレイアップ成形法により、不飽和ポリエステル樹脂を用いたＦＲＰによりバックアップ基材を作成した。ジメチルポリシロキサンを０．５％、ゼオライト銀系抗菌剤を０．５％および有機系抗菌剤であるＴＢＺを０．５％分散させた１．５ｍｍ厚のポリオレフィン系熱可塑性エラストマーと１５ｍｍ厚のポリウレタン発泡層とを用い、真空成形によりバックアップ基材と積層一体化し目的とする浴室カウンターを得た。
図１は本発明の一実施例における浴室カウンターを示す模式図である。１はカウンターであり、２は浴槽、３は洗い場である。このカウンター１は、図１の部分拡大断面図に示しているようにＦＲＰに代表されるバックアップ基材４とポリウレタンに代表される発泡層５と熱可塑性エラストマー層６と、熱可塑性エラストマー層中に分散されているジメチルポリシロキサンに代表される有機珪素化合物７とゼオライト銀に代表される無機系抗菌剤８とＴＢＺに代表される有機系抗菌剤９で構成されている。
【００２８】
各実施例で得た浴室カウンターの撥水性を協和界面科学（株）製接触角測定装置（ＣＡ−Ｚ型）で測定した。その結果を（表１）に示す。
【００２９】
【表１】
2004135751.tif 000003
【００３０】
各実施例で得た浴室カウンターの抗菌性能およびカビ抵抗性について試験を行った。前記浴室カウンターから５０ｍｍ×５０ｍｍの試料を切りだしそれぞれに菌液（黄色ブドウ球菌および大腸菌）１ｃｃを滴下し、３７℃で２４時間培養した。その後、滅菌済みリン酸緩衝液にて菌を洗い出した。この洗い出した液中の生菌数を、菌数測定用培地を用いて混釈平板法にて測定した。その結果を（表２）に示す。
【００３１】
【表２】
2004135751.tif 000004
【００３２】
寒天培地上においた各試料（５０ｍｍ×５０ｍｍ）にアスペルギルス・ニガー菌液を噴霧し、２５℃で７日間培養した。その結果を（表３）に示す。
【００３３】
【表３】
2004135751.tif 000005
【００３４】
（表１）から明らかなように、実施例３の浴室カウンターは実施例１および２の浴室カウンターに比較し、著しい撥水性の向上が確認された。
【００３５】
（表２）から明らかなように、実施例３の浴室カウンターは実施例１および２の浴室カウンターに比較し、黄色ブドウ球菌および大腸菌に対する著しい抗菌効果を得ることができた。
【００３６】
（表３）から明らかなように、実施例３の浴室カウンターは実施例１および２の浴室カウンターに比較し、良好な抗カビ効果を得ることができた。
【００３７】
【発明の効果】
以上のように、本発明の浴室カウンター洗い場とその製造法によれば、次の効果が得られる。
【００３８】
請求項１記載の発明によれば、樹脂材料からなるバックアップ基材に対して、表面自由エネルギーが熱可塑性エラストマーより小さい物質を含む前記熱可塑性エラストマー層からなる軟質材を表面層として積層し一体化した浴室カウンターとすることにより、樹脂材料からなるバックアップ基材によって浴室カウンター自体の形状が保持されるとともに、表面層が熱可塑性エラストマー層の軟質材料により形成されているため、たとえば幼児や高齢者などが浴室内での転倒によりカウンターに身体をぶつけたとしても、その衝撃を軟質材料により良好に吸収でき、安全性を向上させることができる。さらに、表面自由エネルギーが小さい物質を熱可塑性エラストマー層が含んでいるため表面層の撥水性が向上し、汚れ成分に対し低活性となり防汚性が向上する。また、それらの汚れ成分を餌とする細菌やカビの増殖も抑制される。
【００３９】
また、請求項２記載の発明によれば、樹脂材料からなるバックアップ基材と表面自由エネルギーが熱可塑性エラストマーより小さい物質を含む前記熱可塑性エラストマー層との間に第二の弾性層を有する軟質材を表面層として積層し一体化した浴室カウンターとすることにより、カウンター表面をよりいっそう軟らかく、安全にすることができる。
【００４０】
また、請求項３記載の発明によれば、バックアップ基材の樹脂材料がＦＲＰからなる浴室カウンターとすることにより、不飽和ポリエステル樹脂などの熱硬化生樹脂とガラス繊維を混合分散して加熱硬化させたＦＲＰは軽くて高剛性のため、強度の大きい浴室カウンターを得ることができる。
【００４１】
また、請求項４記載の発明によれば、塩素元素を含まない化学構造を有する熱可塑性エラストマー層からなる軟質材を表面層として積層し一体化した浴室カウンターとすることにより、サーマルリサイクル時に塩化水素ガスやダイオキシンといった人体に悪影響を及ぼすは燃焼排ガスが生成しない、環境に優しいクリーンな浴室カウンターを得ることができる。
【００４２】
また、請求項５記載の発明によれば、弾性層が発泡層である浴室カウンターとすることにより、軟質材層をよりいっそう軟らかくすることができ、安全性および快適性がさらに向上する。
【００４３】
また、請求項６記載の発明によれば、熱可塑性エラストマーより表面自由エネルギーが小さい物質が有機珪素化合物である浴室カウンターとすることにより、熱可塑性エラストマー層の表面すなわち浴室カウンター表面の撥水性が大幅に向上し、汚れ成分に対し低活性となるため防汚性が向上する。さらに、汚れ成分の浴室カウンター表面への汚れの付着が少なくなるため、それらを餌とする細菌やカビの増殖も抑制される。
【００４４】
また、請求項７記載のの発明によれば、樹脂材料からなるバックアップ基材に対して、有機珪素化合物と抗菌剤とを含む熱可塑性エラストマー層からなる軟質材を表面層として積層し一体化した浴室カウンターとすることにより、また、請求項８記載の発明によれば、樹脂材料からなるバックアップ層と有機珪素化合物と抗菌剤とを含む熱可塑性エラストマー層との間に第二の弾性層を有する軟質材を表面層として積層し一体化した浴室カウンターとすることにより、熱可塑性エラストマー層からなる浴室カウンターの表面層は有機珪素化合物を含むことにより、防汚性が向上し汚れ成分が付着しにくくなる。さらに、抗菌剤を含有することにより、浴室カウンター表面での細菌、ぬめり、カビなどの増殖が抑制される。さらに、樹脂材料からなるバックアップ基材と表面層である熱可塑性エラストマー層との間に第二の弾性層を有する軟質材を積層し一体化することにより、浴室カウンター表面をよりいっそう軟らかく、安全にすることができる。
【００４５】
また、請求項９記載の発明によれば、抗菌剤として無機系抗菌剤の少なくとも一種、および有機系抗菌剤の少なくとも一種からなる浴室カウンターとすることにより、無機系抗菌剤の作用により主として細菌の増殖を抑制し、さらには細菌の増殖に起因する悪臭の発生、酵母の増殖に起因するぬめりの発生も抑制する。
【００４６】
また、有機系抗菌剤の作用により主としてカビの増殖を抑制する。このように、カビ、細菌などの増殖を抑制し、健康的で清潔な浴室カウンターが可能となる。
【００４７】
また、請求項１０記載の発明のように、樹脂材料からなるバックアップ基材に対して、表面自由エネルギーが熱可塑性エラストマーより小さい物質を含む前記熱可塑性エラストマー層からなる軟質材を表面層として積層し一体化した浴室カウンターにおいて、軟質材からなる表面層は真空成形によりバックアップ基材と積層し一体化して浴室カウンターを製造することにより、簡単に安価に製造することができる。
【図面の簡単な説明】
【図１】本発明の一実施例における浴室カウンターの模式図
【符号の説明】
１　カウンター
２　浴槽
３　洗い場
４　バックアップ基材
５　発泡層
６　熱可塑性エラストマー層
７　有機珪素化合物
８　無機系抗菌剤
９　有機系抗菌剤
【図１】
2004135751.tif 000006